(57)【要約】      （修正有）【課題】投げてから着水し目的の水深に到達するまでは餌を外部に放出するための餌放出口を閉鎖し、目的の水深に到達すると当該餌放出口を開放することができる釣り具を提供する。【解決手段】上部ケース１と下部ケース２とからなり内部に魚への餌を保持可能な餌収納ケースと、当該上部ケース１及び下部ケース２を上下移動可能に連結する連結具３とで主に構成される。餌収納ケースは、上部ケース１と下部ケース２が近接している際には餌を餌収納ケースの外部に放出するための餌放出口２０を閉鎖し、上部ケース１と下部ケース２が離間している際には餌放出口２０が開放する。上部ケース１は、釣り場の水に浮くように形成され、下部ケース２は、釣り場の水に沈むように形成されると共に、当該釣り具の沈下時には水の抵抗を受けて上部ケース１側に移動するように形成される。【選択図】図４
0003188745.tif 000002
【実用新案登録請求の範囲】
【請求項１】
上部ケースと下部ケースとからなり内部に餌を保持可能な餌収納ケースと、当該上部ケース及び下部ケースを上下移動可能に連結する連結具とからなる釣り具であって、
前記餌収納ケースは、前記上部ケースと下部ケースが近接している際には前記餌を外部に放出するための餌放出口を閉鎖し、前記上部ケースと下部ケースが離間している際には前記餌放出口を開放するように構成され、
前記上部ケースは、釣り場の水に浮くように形成され、
前記下部ケースは、釣り場の水に沈むように形成されると共に、当該釣り具の沈下時には水の抵抗を受けて前記上部ケース側に移動するように形成されることを特徴とする釣り具。
【請求項２】
前記上部ケースは、当該釣り具の引き上げ時には水の抵抗を受けて前記下部ケース側に移動可能に形成されることを特徴とする請求項１記載の釣り具。
【請求項３】
前記連結具の前記上部ケース上方に配置され、前記連結具上を移動可能に形成される上部ケース安定用錘を具備することを特徴とする請求項１又は２記載の釣り具。
【請求項４】
前記連結具は、前記上部ケースと下部ケースの移動範囲を調節可能な調節用ストッパーを具備することを特徴とする請求項１ないし３のいずれかに記載の釣り具。
【請求項５】
前記連結具の前記下部ケース内に配置され、前記連結具上を移動可能に形成されると共に釣り場の水に浮くように形成される餌押し上げ用部材を具備することを特徴とする請求項１ないし４のいずれかに記載の釣り具。
【考案の詳細な説明】
【技術分野】
【０００１】
本考案は、撒き餌を収容するための釣り具に関するものである。
【背景技術】
【０００２】
従来、コマセと呼ばれる撒き餌を撒き餌籠に充填し、海水中で撒き餌を散布して集魚を期待する魚釣りがある。しかしながら、従来の撒き餌籠は、側面に形成された餌放出口が開放したままであるため、撒き餌籠を海中に投下してから海底や目標の水深に到達するまでに撒き餌籠に充填した撒き餌が流出して無駄が生じるという問題や、目標の水深よりも浅い場所に生息する魚が意図せずに掛かってしまうという問題があった。
【０００３】
こうした課題を改善するために、例えば、コマセ挿入口とコマセ排出孔が形成され下方の錘部に支持される内ケースと、挿入口を開閉する蓋と、道糸支持部と、排出孔を開閉するシャッター孔を有し、内ケースを吸着保持するマグネットを具えた外ケースとで構成される釣り具がある（例えば、特許文献１）。当該釣り具は、水面下に投入する際に排出孔を閉塞し、道糸による釣り具の引き上げによりマグネットの吸着を解除し外ケースに対し内ケースを下方にスライドさせコマセ排出孔を拡開してコマセを排出する。また、錘部に対して内ケースを上下自在に支持する支持手段を有し、内ケースに対する外ケースのスライド量を調節して、排出孔の大きさを調節するものである。
【０００４】
また、複数のコマセ放出口をその上部側面に設けた円筒状の内筒と、この内筒の外側で上下にスライド可能で、目的の水深に到達するまでは水の抵抗を受けて外筒が内筒の上部に位置し、コマセ放出口を閉じると共に、目標の水深に到達すると自重によって内筒の下部に下がり、コマセ放出口を開放するコマセカゴもある（例えば、特許文献２）。
【先行技術文献】
【特許文献】
【０００５】
【特許文献１】特開２０００−８３５４４
【特許文献１】特開２００６−１８７２９４
【考案の概要】
【考案が解決しようとする課題】
【０００６】
しかしながら、特許文献１の技術においては、内ケースの重力をマグネット吸引力で保持し道糸の引き上げにより吸着を解除することとしているが、収納する撒き餌の重量の変化など吸引すべき負荷の変動に対する吸着と解除の性能保証に難しさがある。またマグネット間に異物が入ると吸着力が低下し吸着不可となるが、構造上、吸着面の清掃は容易ではない。
【０００７】
また、特許文献２のコマセカゴは、コマセカゴを投げてから着水するまでの間は遠心力で外筒が内筒の下部に下がり、流出口が開放した状態にあるため、この際に餌が放出されてしまうおそれがある。
【０００８】
そこで本考案は、投げてから着水し目的の水深に到達するまでは餌を外部に放出するための餌放出口を閉鎖し、目的の水深に到達すると当該餌放出口を開放することができる釣り具を提供することを目的とする。
【課題を解決するための手段】
【０００９】
本考案の釣り具は、上部ケースと下部ケースとからなり内部に餌を保持可能な餌収納ケースと、当該上部ケース及び下部ケースを上下移動可能に連結する連結具とからなるものであって、前記餌収納ケースは、前記上部ケースと下部ケースが近接している際には前記餌を外部に放出するための餌放出口が閉鎖し、前記上部ケースと下部ケースが離間している際には前記餌放出口が開放するように構成され、前記上部ケースは、釣り場の水に浮くように形成され、前記下部ケースは、釣り場の水に沈むように形成されると共に、当該釣り具の沈下時には水の抵抗を受けて前記上部ケース側に移動するように形成されることを特徴とする。
【００１０】
この場合、前記上部ケースは、当該釣り具の引き上げ時には水の抵抗を受けて前記下部ケース側に移動可能に形成される方が好ましい。また、前記連結具の前記上部ケース上方に配置され、前記連結具上を移動可能に形成される上部ケース安定用錘を具備する方が好ましい。また、前記連結具は、前記上部ケースと下部ケースの移動範囲を調節可能な調節用ストッパーを具備する方が好ましい。更に、前記連結具の前記下部ケース内に配置され、前記連結具上を移動可能に形成されると共に釣り場の水に浮くように形成される餌押し上げ用部材を具備する方が好ましい。
【考案の効果】
【００１１】
本考案は、釣り具の移動時には、遠心力や水の抵抗を利用して餌放出口を閉鎖し、釣り具が静止している際には、浮力と自重を利用して餌放出口を開放するので、水中の任意のポイントで餌を放出することができる。したがって、餌のこぼれ無駄をなくすことや、ポイントより浅い場所に生息する魚の食いを防止することができる。また、餌出し量の調整をすることもできる。
【図面の簡単な説明】
【００１２】
【図１】餌投入時における本考案の釣り具の状態を示す（Ａ）概略正面図、および（Ｂ）概略背面図である。
【図２】水中への投入時又は水中を引き上げる時における本考案の釣り具の状態を示す（Ａ）概略正面図、および（Ｂ）概略背面図である。
【図３】水中を沈下する時における本考案の釣り具の状態を示す（Ａ）概略正面図、および（Ｂ）概略背面図である。
【図４】水中の静止時における本考案の釣り具の状態を示す（Ａ）概略正面図、および（Ｂ）概略背面図である。
【図５】本考案の釣り具を示す概略断面図である。
【図６】本考案の別の釣り具を示す概略断面図である。
【考案を実施するための形態】
【００１３】
以下に、本考案の実施形態を、図１〜図５を用いて詳細に説明する。本考案の釣り具は、上部ケース１と下部ケース２とからなり内部に魚への餌を保持可能な餌収納ケースと、当該上部ケース１及び下部ケース２を上下移動可能に連結する連結具３とで主に構成される。また、餌収納ケースは、上部ケース１と下部ケース２が近接している際には餌を餌収納ケースの外部に放出するための餌放出口20を閉鎖し、上部ケース１と下部ケース２が離間している際には餌放出口20が開放するように構成され、上部ケース１は、釣り場の水に浮くように形成され、下部ケース２は、釣り場の水に沈むように形成されると共に、当該釣り具の沈下時には水の抵抗を受けて上部ケース１側に移動するように形成されるものである。
【００１４】
ここで釣り場とは、海や湖、河川を意味する。したがって、釣り場の水とは、淡水のみならず、海水も含まれる。
【００１５】
餌収納ケースは、内部に餌を保持可能な空間を有する容器であり、少なくとも互いに円滑に摺動可能な上部ケース１と下部ケース２とで構成される。
【００１６】
上部ケース１の形状は、下部ケース２と組み合わせた際に餌を保持可能な空間を形成できるものであればどのようなものでも良く、例えば、下部ケース２側に開口を有する有底筒状に形成される。当該底部は円錐状や半球状等、任意の形状で良い。また、上部ケース１は、釣り場の水に浮くように形成される。例えば、図５に示すように、連結具３に浮き11を上下移動可能に配置し、当該浮き11の浮力が上部ケース１に働くようにすれば良い。この場合、当該浮き11は、釣り場の水中において、上部ケース１を浮せることができるだけの浮力を有するものを用いる。また、餌収納ケース内に餌を収納する際に浮き11が邪魔にならないように、浮き11と下部ケース２に配置される後述する錘21（又は、浮き11と下部ケース２）の間を一定距離に保つための浮き止め用パイプ12を連結具３に配置する方が好ましい。なお、当該浮き11は、上部ケース１に固定するものや、上部ケース１と一体に形成されるものであっても構わない。また、上部ケース１自体を釣り場の水に浮く素材で作製することも可能である。
【００１７】
また、上部ケース１は、当該釣り具の引き上げ時には水の抵抗を受けて下部ケース２側に移動可能に形成される方が良い。例えば、上部ケース１をその自重よりわずかに大きい浮力を有するように形成する。上部ケース１をこのように形成すれば、釣り具をわずかに引き上げることで上部ケース１が水の抵抗を受けて下部ケース２側に移動し、餌放出口20を閉じることができる。したがって、このように構成した釣り具は、釣り具を上方又は下方へ動かしている間は餌放出口20を閉じておくことができ、静止させれば餌放出口20を開放することができる。
【００１８】
また、図示しないが、上部ケース１には、適宜餌収納ケース内の空気や水抜き用の孔を適宜設けても良い。また、水中で釣り具を垂直に維持するために、上部ケース側面の外側に長手方向に伸びる羽根を設けても良い。
【００１９】
下部ケース２の形状は、上部ケース１と組み合わせた際に餌を保持可能な空間を形成できるものであればどのようなものでも良く、例えば、上部ケース１側に開口を有する有底筒状に形成される。当該底部は円錐状や半球状等、任意の形状で良い。また、下部ケース２の開口側は、下部ケース２が上部ケースの開口から上部ケース内に嵌挿できるように、上部ケース１よりわずかに小さく形成される。
【００２０】
また、下部ケース２は、釣り場の水に沈むように形成されると共に、釣り具が水中を沈下する時には水の抵抗を受けて連結具３上を上部ケース１側に移動するように形成される。例えば、図５に示すように、連結具３に錘21を上下移動可能に配置し、当該錘21の自重が下部ケース２に働くようにすれば良い。この場合、当然当該錘21は、釣り場の水中において、下部ケース２を沈ませることができるだけの自重を有するものを用いる。なお、当該錘21は、下部ケース２に固定するものや、下部ケース２と一体に形成されるものであっても構わない。また、下部ケース２自体を釣り場の水に沈む素材で作製することも可能である。
【００２１】
また、図示しないが、下部ケース２には、適宜餌収納ケース内の空気や水抜き用の孔を適宜設けても良い。
【００２２】
餌放出口20は、上部ケース１と下部ケース２が近接している際には閉鎖でき、また、上部ケース１と下部ケース２が離間している際には餌を餌収納ケースの外部に放出するために開放できる構成であればどのようなものでも良い。例えば、下部ケース２の周壁に任意の形状の餌放出口20を形成する。この場合、餌放出口20は上部ケース１の側壁部分と重ねることで閉鎖できる大きさに形成される。また、下部ケース２は、その周壁外側が上部ケース１の周壁内側を円滑にスライド可能な大きさに形成する。これにより、上部ケース１と下部ケース２を近接又は離間させることで、餌放出口20を上部ケース１の周壁で塞いだり開いたりし、餌放出口20を開閉することができる。なお、餌収納ケースは、上部ケース１の周壁外側が下部ケース２の周壁内側を円滑にスライドするように構成しても構わない。
【００２３】
また、上部ケース１には、餌を餌収納ケースの内部に投入するための餌投入口10を設けることもできる。この場合、餌投入口10は下部ケース２の側壁部分と重ねることで閉鎖できる大きさに形成される。図１では、餌投入口10と餌放出口20は略同形に形成されている。これにより、餌投入口10と餌放出口20を重ねた時には、餌収納ケースの内部と外部が連通し、餌収納ケース内に餌を投入することができる。また、後述するシャフト部31を軸として上部ケース１と下部ケース２を回転すると、図２に示すように、餌投入口10は下部ケース２の側壁で閉鎖することができ、餌放出口20は上部ケース１の側壁で閉鎖することができる。
【００２４】
連結具３は、上部ケース１及び下部ケース２を上下移動可能に連結するものである。連結具３としては、例えば、上部ケース１及び下部ケース２の軸方向の移動を案内するためのシャフト部31と、当該シャフト部31に一定間隔を空けて上下に設けられ、上部ケース１及び下部ケース２の移動を制約するためのストッパー部とで構成すれば良い。この場合、上部ケース１の上面中央と下部ケース２の下面中央には、シャフト部31が円滑に通る大きさの貫通孔が形成される。また、ストッパー部は、上部ケース１が上側に移動するのを制約する上部ストッパー32ａと、下部ケース２が下側に移動するのを制約する下部ストッパー32ｂとで構成される。これらは、上部ケース１を上側に下部ケース２を下側になるようにシャフト部31上を移動し離間させた時に、餌放出口20から餌収納ケース内の餌を外部に放出可能な間隔だけ空けて形成すれば良い。
【００２５】
また、連結具３の上部や下部には、道糸や仕掛け用フック等と接続するための接続部である輪が形成される。これはストッパー部と共通でも構わない。また、道糸や仕掛け用フック等と接続できるものであれば、他の形状でも構わない。
【００２６】
また、上部ストッパー32ａ及び下部ストッパー32ｂの少なくともいずれか一方は、上部ケース１と下部ケース２の上下方向の移動範囲を調節可能な調節用ストッパーでも良い。例えば、シャフト部31上を移動可能な環状のゴム等を用いることができる。なお、当該調節用ストッパーの位置を調節して上部ケース１と下部ケース２の移動範囲をゼロにすれば、従来の撒き餌籠と同様の使用をすることも可能となる。この場合、上部ケース１の周壁に、上述した餌放出口20とは別に、種々の大きさの餌放出口を複数設けておき、シャフト部31を軸に上部ケース１と下部ケース２を回転することにより、当該餌放出口を選択して用いれば良い。
【００２７】
また、餌収納ケースは、釣り具が水に投入される前には連結具３の下方に位置しているが、水に投入された直後から水の抵抗を受けて連結具３の上方に移動することになる。しかしながら、この投入時の衝撃によって上部ケース１と下部ケース２が離間し、餌が餌放出口20から放出してしまうことがある。そこで、シャフト部31の上部ケース１上方に、シャフト部31上を移動可能に形成される上部ケース安定用錘33を更に設けて、上部ケース１と下部ケース２が簡単に離間してしまうのを抑制するようにしても良い。
【００２８】
また、本考案の別の実施形態について図６を用いて説明する。当該実施形態は、図６に示すように、餌収納ケースの内部に浮き11と浮き止め用パイプ12を配置して、これを上部ケース１Ａとし、その下方に下部ケース２Ａを設けたものである。また、上部ケース１Ａと下部ケース２Ａとの間には、連結具３を上下移動可能な錘21が配置される。これにより、従来の餌収納ケースと本考案の餌収納ケースの両方の機能を備えた釣り具を構成することができる。
【００２９】
また、連結具３の下部ケース２Ａ内には、連結具３上を移動可能に形成されると共に釣り場の水に浮くように形成される餌押し上げ用部材４を配置しても良い。餌押し上げ用部材４の形状はどのようなものでも良いが、例えばシャフト部31を通す孔を有するドーナツ板状に形成すれば良い。また、当該餌押し上げ用部材４は、釣り場の水中において、下部ケース２Ａ内に配置された餌を浮かせることができるだけの浮力を有するものを用いれば良い。これにより、餌を下部ケース２Ａ内に配置する際に、当該餌を餌押し上げ用部材４の上に配置しておけば、上部ケース１Ａと下部ケース２Ａが離間した際には、餌押し上げ用部材４が浮力により連結具３上を上部ケース１Ａ側に移動するので、餌をより円滑に外部へ放出することができる。もちろん、この餌押し上げ用部材４は、図１ないし図５を用いて説明した実施形態の下部ケース２内に配置することも可能である。
【００３０】
次に、本考案の釣り具の使用時の状態について図１ないし図４を用いて説明する。
【００３１】
まず、図１に示すように、上部ケース１と下部ケース２を互いに回転させて餌投入口10と餌放出口20を一致させ、餌投入口10（餌放出口20）から餌収納ケース内に餌を収納する。餌を収納したら、図２に示すように、上部ケース１と下部ケース２を互いに回転させ、餌投入口10および餌放出口20を閉鎖する。
【００３２】
この釣り具を任意の場所へ投入する際には、上部ケース１と下部ケース２はお互い近接したまま遠心力によって共に連結具３の下方側に位置する。
【００３３】
釣り具が着水すると、図３に示すように、釣り具が沈下している間は水の抵抗を受けるため、上部ケース１と下部ケース２はお互い近接したまま連結具３の上方側に移動する。
【００３４】
釣り具が目的の位置に到達し静止すると、図４に示すように、上部ケース１は浮力によって連結具３の上方側に留まる。一方、下部ケース２は水の抵抗がなくなるため、自重によって連結具３の下方側に移動する。これにより、上部ケース１と下部ケース２はストッパー部で決められた距離だけ離間し、餌放出口20が開放され、餌収納ケース内の餌が外部に放出され続ける。
【００３５】
なお、釣り具が静止し、餌放出口20が開放された後に、再度餌放出口20を閉じたい場合には、釣り具をわずかに引き上げる。すると、図２に示すように、上部ケース１が水の抵抗を受けることにより、連結具３の下方側へ移動する。これにより、上部ケース１が下部ケース２側に近接し、餌放出口20は閉鎖される。また、引き上げられた釣り具は、しばらくすると再度水中を沈下するが、この際には、図３に示すように、釣り具が沈下している間は水の抵抗を受けるため、上部ケース１と下部ケース２はお互い近接したまま連結具３の上方側に移動する。この際にも、餌放出口20は閉鎖したままとなる。その後、釣り具が静止すると、図４に示すように、再度餌放出口20が開放され、餌収納ケース内の餌が外部に放出される。このように、本考案は、簡単な操作で餌放出口20を任意に開閉することが可能である。
【符号の説明】
【００３６】
１    上部ケース
１Ａ  上部ケース
２    下部ケース
２Ａ  下部ケース
３    連結具
４    餌押し上げ用部材
10    餌投入口
11    浮き
12    浮き止め用パイプ
20    餌放出口
21    錘
31    シャフト
32ａ  上部ストッパー
32ｂ  下部ストッパー
33  上部ケース安定用錘
【図１】
0003188745.tif 000003
【図２】
0003188745.tif 000004
【図３】
0003188745.tif 000005
【図４】
0003188745.tif 000006
【図５】
0003188745.tif 000007
【図６】
0003188745.tif 000008